(57)【要約】【課題】  非補給時ではメダルの落下をほぼ確実に防止し、補給時には搬送速度が速い場合や多量に搬送された場合でも円滑にメダルを取り込んで詰まりなく補給できるようにするメダル供給設備を提供する。【解決手段】  遊技機又はメダル貸し機にメダルを供給するメダル供給設備であって、左右に側壁４ａを備えた長尺のメダル搬送コンベヤ４を遊技機又はメダル貸し機の上方位置に設け、メダル搬送コンベヤ４の遊技機又はメダル貸し機の位置の側壁４ａに開口部４ｃを形成し、搬送されるメダルを開口部４ｃへ誘導するゲート９ａを開口部４ｃの位置に設け、開口部４ｃから排出されたメダルを遊技機又はメダル貸し機のメダル送給路９ｅへ取り込むシュート９ｄを設けたメダル供給設備において、前記メダル搬送コンベヤ４の開口部４ｃ位置に開口幅より狭いカバープレート９ｆを所要の付勢力により下流側一部を開放した状態で閉塞できるように揺動自在に取り付けた。【選択図】図４
2007111154.tif 000002
【特許請求の範囲】
【請求項１】
複数の遊技機又はその遊技機で使用するためのメダルを貸し出す複数のメダル貸し機にメダルを供給するメダル供給設備であって、左右に側壁を備えた長尺のメダル搬送コンベヤを遊技機又はメダル貸し機の上方位置に設け、メダル搬送コンベヤの遊技機又はメダル貸し機の位置の側壁に開口部を形成し、搬送されるメダルを開口部へ誘導するゲート装置を開口部位置に設け、開口部から排出されたメダルを遊技機又はメダル貸し機のメダル送給路へ取り込むシュートを設けたメダル供給設備において、前記メダル搬送コンベヤの開口部位置に開口幅より狭いカバープレートを所要の付勢力により下流側一部を開放した状態で閉塞できるように取り付けたことを特徴とする、メダル供給設備。
【請求項２】
カバープレートの下流側端部に重なった複数枚のメダルが通過できる高さの開口が形成されるようにカバー部を一体的に設けた、請求項１記載のメダル供給設備。
【請求項３】
カバープレートが、その上部をメダル搬送コンベヤの開口部位置で揺動自在に枢支し、上面に重りを取り付け、重りによる付勢力で開口部を開放可能に閉塞できるようにしたものである、請求項１又は２記載のメダル供給設備。
【請求項４】
カバープレートのメダル搬送コンベヤ側の面に突起を形成し、重なって搬送された複数枚のメダルを突起でバラして搬送できるようにした、請求項１〜３いずれか記載のメダル供給設備。
【発明の詳細な説明】
【技術分野】
【０００１】
本発明は、メダルを使用してゲームを行うスロットマシン等の遊技機、及びその遊技機用のメダルを遊技者に貸し出すメダル貸し機にメダルを供給するメダル供給設備に関する。
【背景技術】
【０００２】
従来のメダル供給設備は、図１３に示すように左右に側壁２０ａを備えた長尺のメダル搬送コンベヤ２０を遊技機及びメダル貸し機の上方位置に設け、メダル搬送コンベヤの遊技機及びメダル貸し機位置の側壁２０ａに開口部２０ｂを形成し、搬送されるメダルを開口部２０ｂへ誘導するゲート装置２１をメダル搬送コンベヤの開口部２０ｂ位置に取り付け、開口部２０ｂから排出されたメダルを遊技機及びメダル貸し機のメダル送給路２３へ取り込むシュート２２を取り付けた構造が一般的で、遊技機やメダル貸し機の内部のメダルホッパーのメダル量が一定量以下になると、搬送中のメダルをゲート装置２１で開口部２０ｂへ誘導して補給するようにしている。
【０００３】
ところで、メダル搬送コンベヤ２０の開口部は２０ｂは常に開放されているから、ゲート装置２１で塞き止めなくても搬送中のメダルが振動や滑り等により開口部２０ｂから落下することがあり、落下した先の遊技機やメダル貸し機が長時間使用されなかった場合は内部のメダルホッパーがいずれオーバーフローとなりトラブルが発生する。このため、図１４に示すようにメダル搬送コンベヤ２０の開口部２０ｂの位置にカバープレート２４を揺動自在に取り付け、搬送中のメダルｍが開口部２０ｂから落下しようとしてもカバープレート２４の自重による付勢力で遮断し、ゲート装置２１で塞き止めた場合にメダルｍの流れの圧力でカバープレート２４を押し上げるように開放させて取り込めるようにした構成が提案されている。
【０００４】
このカバープレート２４は上流側と下流側の２体で構成されており、下流側のカバープレート２４の上部に重りを兼ねた掛止片２４ａを備えている。２４ｂは逆止片である。下流側のカバープレート２４は単体で開放でき、上流側のカバープレート２４の開放時は下流側のカバープレート２４の掛止片２４ａと掛止して２体のカバープレート２４が同時に開放する構造となっている。上流側のカバープレート２４は２体分の自重が作用して容易に開放しないからメダルｍの落下を確実に防止し、下流側のカバープレート２４は小さい力で容易に開放するから、図１５（ａ）に示すようにゲート装置２１で塞き止めたメダルｍで押し上げるように開放させて取り込み、メダルｍが多量の場合は図１５（ｂ）に示すようにその多量のメダルｍの流れの圧力で２体のカバープレート２４を開放させて開口部２０ｂの全域から取り込めるようにしている。しかしながら、この技術ではメダル搬送コンベヤ２０の搬送速度が速い場合やメダルｍが多量に搬送された場合は、メダルｍの補給時にカバープレート２４の開放が間に合わず、メダルｍが積み上がった状態となって詰まりが生じる場合があった。
【特許文献１】特開２００４−２３６７８３号公報
【発明の開示】
【発明が解決しようとする課題】
【０００５】
本発明が解決しようとする課題は、従来のこれらの問題点を解消し、非補給時ではメダルの落下をほぼ確実に防止し、補給時には搬送速度が速い場合や多量に搬送された場合でも円滑にメダルを取り込んで詰まりなく補給できるようにするメダル供給設備を提供することにある。
【課題を解決するための手段】
【０００６】
かかる課題を解決した本発明の構成は、
１）  複数の遊技機又はその遊技機で使用するためのメダルを貸し出す複数のメダル貸し機にメダルを供給するメダル供給設備であって、左右に側壁を備えた長尺のメダル搬送コンベヤを遊技機又はメダル貸し機の上方位置に設け、メダル搬送コンベヤの遊技機又はメダル貸し機の位置の側壁に開口部を形成し、搬送されるメダルを開口部へ誘導するゲート装置を開口部位置に設け、開口部から排出されたメダルを遊技機又はメダル貸し機のメダル送給路へ取り込むシュートを設けたメダル供給設備において、前記メダル搬送コンベヤの開口部位置に開口幅より狭いカバープレートを所要の付勢力により下流側一部を開放した状態で閉塞できるように取り付けたことを特徴とする、メダル供給設備
２）  カバープレートの下流側端部に重なった複数枚のメダルが通過できる高さの開口が形成されるようにカバー部を一体的に設けた、前記１）記載のメダル供給設備
３）  カバープレートが、その上部をメダル搬送コンベヤの開口部位置で揺動自在に枢支し、上面に重りを取り付け、重りによる付勢力で開口部を開放可能に閉塞できるようにしたものである、前記１）又は２）記載のメダル供給設備
４）  カバープレートのメダル搬送コンベヤ側の面に突起を形成し、重なって搬送された複数枚のメダルを突起でバラして搬送できるようにした、前記１）〜３）いずれか記載のメダル供給設備
にある。
【発明の効果】
【０００７】
本発明によれば、搬送中のメダルが振動や滑り等により開口部から落下しようとしてもカバープレートにより上流側で遮断されて落下が防止される。一旦遮断されたメダルはメダル搬送コンベヤ上に止まるから下流側にカバープレートが無くても開口部へ落下し難く搬送方向へ流れる。一方、補給時はゲート装置で開口部へ誘導されたメダルはカバープレートが無い部分から落下して取り込まれる。搬送速度が速い場合や多量に搬送された場合においてカバープレートが無い部分からの落下が追い付かない場合はメダルの流れの圧力でカバープレートを押し上げるように開放して開口部全域から詰まることなく円滑に取り込まれる。このように、非補給時ではメダルの落下をほぼ確実に防止でき、補給時には詰まり無く円滑に取り込むことができるようになる。
【発明を実施するための最良の形態】
【０００８】
本発明では、カバープレートの付勢手段としてはカバープレート自身の自重，重り，バネ等があり、バネは長期間使用すると付勢力が変化するから自重又は重りによるものが望ましい。カバー部はカバープレートと一体的に設けるものの他、別体の場合はカバープレートと同時に揺動できるようにする。カバー部を設けた際に形成される開口は、メダルが５〜１０枚重なった状態の総厚に相当する高さにする。以下、本発明の実施例を図面に基づいて具体的に説明する。
【実施例１】
【０００９】
図１〜１１に示す実施例は、複数のスロットマシンと隣接して並設されるメダル貸し機それぞれにメダルを自動的に供給するメダル供給設備に本発明を適用した例である。図１は実施例のメダル供給設備の説明図、図２は実施例の遊技機の一部切欠斜視図、図３は実施例のメダル貸し機の一部切欠斜視図、図４は実施例のメダル補給装置の一部切欠斜視図、図５は実施例のカバープレートの斜視図、図６，７は実施例のカバープレートの取り付け状態を示す説明図、図８は実施例のメダルの搬送を示す説明図、図９，１０は実施例のメダルの補給を示す説明図、図１１は実施例のカバープレートの突起の作用を示す説明図である。
【００１０】
本実施例のメダル供給設備１は、図１に示すように並設された複数のスロットマシンである遊技機２及びメダル貸し機３の上方にメダルｍを搬送する長尺のメダル搬送コンベヤ４を設け、遊技機２及びメダル貸し機３の下方に遊技機２から排出された余剰のメダルｍを回収するメダル回収コンベヤ５を設け、回収されたメダルｍを洗浄研磨するメダル洗浄研磨部６を設け、洗浄研磨されたメダルｍをメダル搬送コンベヤ４へ送り出すメダル転向部７を設け、遊技機２及びメダル貸し機３に所定枚数のメダルｍの補給制御を行うメダル補給制御部８を設け、メダル搬送コンベヤ４の遊技機２及びメダル貸し機３の位置に搬送されたメダルｍを取り込むメダル補給装置９を設けている。１０はホールコンピュータ、１０ａは接続部である。
【００１１】
遊技機２は、図２に示すように前面のメダル投入口２ａから投入されたメダルｍによるゲームの進行及びゲーム結果に応じた所定枚数のメダルｍの払い出し制御を行うコントローラ２ｂを設け、内部に多数枚のメダルｍを一時的に収容してゲーム結果に応じた枚数のメダルｍを払い出すメダルホッパー２ｃを設け、メダルホッパー２ｃの上部にメダルホッパー２ｃ内のメダルｍの一定量以下を検知するメダル量センサー２ｄを設け、メダルホッパー２ｃの下方に払い出されたメダルｍを排出するシュート２ｅを設け、シュート２ｅの下方に排出されたメダルｍを受けるメダル受皿２ｆを設け、メダルホッパー２ｃの右側下方に余剰のメダルｍをメダル回収コンベヤ５に排出するメダル排送路２ｇを設けている。
【００１２】
メダル貸し機３は、図３に示すように前面の貨幣投入口３ａから投入された金額に応じて所定枚数のメダルｍの払い出し制御を行うコントローラ３ｂを設け、内部に多数枚のメダルｍを一時的に収容して投入金額に応じた枚数のメダルｍを払い出すメダルホッパー３ｃを設け、メダルホッパー３ｃの上部にメダルホッパー３ｃ内のメダルｍの一定量以下を検知するメダル量センサー３ｄを設け、メダルホッパー３ｃの下方に払い出されたメダルｍを排出するシュート３ｅを設け、シュート３ｅの下方に払い出されたメダルｍを受けるメダル払出口３ｆを設けている。
【００１３】
メダル補給装置９は、図４に示すようにメダル搬送コンベヤ４の片側の側壁４ａに上方が開放された開口部４ｃと切欠部４ｄを形成し、先端が斜めに形成されたゲート９ａをその後部で上下動自在に軸支し、ゲート９ａに支持棒９ｂを取り付けて切欠部４ｄから突出させ、突出した支持棒９ｂを下方から押し上げる上下動自在の駆動部９ｃを側壁４ａに取り付け、開口部４ｃにシュート９ｄを取り付け、下部に接続したメダル送給路９ｅを遊技機２及びメダル貸し機３のメダルホッパー２ｃ，３ｃに配管し、シュート９ｄの開口部４ｃ位置にカバープレート９ｆを揺動自在に枢支している。４ｂはコンベヤベルトである。
【００１４】
カバープレート９ｆは、図５に示すように断面略山型に折曲され、左側面の下端部の上流側位置にはカバープレート９ｆをメダル搬送コンベヤ４方向へ揺動させないようにする逆止片９ｇを形成し、逆止片９ｇの下流側にメダルｍの落下を遮断する遮断片９ｈを形成し、遮断片９ｈの下流側に搬送方向に並んだ２枚のメダルｍが通過できる幅で且つメダルｍの６枚分の総厚に相当する高さの開口が形成されるようにカバー部９ｉを一体的に形成し、右側面の水平面には重り９ｊを取り付け、遮断片９ｈのメダル搬送コンベヤ４側の面に垂直に立ったメダルｍを内側に倒す突起９ｋを形成している。このカバープレート９ｆを図６，７に示すようにシュート９ｄの開口部４ｃ位置に逆止片９ｇが上流側となるように且つ遮断片９ｈの下端部がコンベヤベルト４ｂの上面とほぼ同じ高さ又はそれよりやや下方となるように枢支し、逆止片９ｇをシュート９ｄの下端部の内壁に係止してメダルｍの排出方向へのみ開放できるようにしている。９ｍはカバーである。なお、コンベヤベルト４ｂの幅は６３ｍｍ、開口部４ｃの幅は１２０ｍｍ、カバープレート９ｆのカバー部９ｉの長さは７０ｍｍ、メダルｍの外径は２５ｍｍである。
【００１５】
本実施例のメダル供給設備１は、メダル搬送コンベヤ４でメダルｍを搬送し、遊技機２のメダル量センサー２ｄ又はメダル貸し機３のメダル量センサー３ｄがメダルｍの一定量以下を検知すると、メダル補給制御部８がメダル補給装置９の駆動部９ｃを下方へ動かしてゲート９ａを自重で降下させ、その先端がメダル搬送コンベヤ４のコンベヤベルト４ｂに着地して斜めに塞き止め、メダルｍがゲート９ａの先端に当たって開口部４ｃに誘導されてシュート９ｄへ取り込まれ、メダル送給路９ｅを通じてメダルホッパー２ｃ，３ｃに補給される。メダル量センサー２ｄ，３ｄがメダルｍと接触するとメダル補給制御部８が補給完了と判断し、メダル補給装置９の駆動部９ｃを上方へ動かしてゲート９ａを上昇させてメダルｍを通過させる。
【００１６】
ここで、図８（ａ）に示すようにメダル搬送コンベヤ４でメダルｍを搬送する際、メダルｍが振動や排出方向への滑りで開口部４ｃから落下しようとする場合があるが、カバープレート９ｆの重り９ｊによる付勢力により遮断片９ｈで遮断されて落下が防止され、一旦遮断されたメダルｍは図８（ｂ）に示すようにコンベヤベルト４ｂ上に止まり、カバー部９ｉの下方から落下し難く搬送方向へ流れる。補給時は、図９（ａ），図１０（ａ）に示すようにメダルｍがカバープレート９ｆのカバー部９ｉの下方から落下してシュート９ｄに取り込まれる。搬送速度が速い場合やメダルｍが多量に搬送された場合は、図９（ｂ），図１０（ｂ）に示すようにメダルｍの流れの圧力でカバープレート９ｆを押し上げるように開放して開口部４ｃの全域から詰まり無く取り込まれる。また、メダルｍが垂直に立った状態で搬送された場合は、図１１に示すようにカバープレート９ｆの突起９ｋでメダルｍを内側に倒し、補給時における開口部４ｃの閉塞を防止する。このように、本実施例によれば、非補給時ではメダルｍの落下がほぼ確実に防止され、補給時には搬送速度やメダルｍの量に応じてカバープレート９ｆが揺動して詰まり無く取り込まれ、オーバーフロー等のトラブルやカバープレート９ｆの開放が間に合わなくなる事態を防止して設備の円滑な運用を可能にした。
【００１７】
図１２に示すのは、実施例のメダル補給装置の他の例である。図１２は実施例の他の例のメダル補給装置の一部切欠斜視図である。図中、９ｎは逃げ凹所である。図１２に示す実施例の他の例は、メダル搬送コンベヤ４の両側に対向して配置した遊技機２又はメダル貸し機３にメダルｍを補給できるようにしたものである。メダル搬送コンベヤ４の開口部４ｃは対向する両側の側壁４ａそれぞれに形成し、各開口部４ｃにシュート９ｄをそれぞれ取り付け、各シュート９ｄにガードプレート９ｆを枢支している。メダル補給装置９はゲート９ａを２体備えたもので、各ゲート９ａは先端がそれぞれ反対向きに斜めに形成されており、図１２において左側のゲート９ａは降下時に隣接する右側のゲート９ａと接触しないように逃げ凹所９ｎが形成され、搬送したメダルｍを２体のゲート９ａで塞き止めて対向配置した遊技機２又はメダル貸し機３それぞれに補給できるようにしている。その他、符号、構成、作用効果は実施例と同じである。
【産業上の利用可能性】
【００１８】
本発明のメダル供給設備は、スロットマシン等の遊技機又はその遊技機用のメダルを遊技者に貸し出すメダル貸し機にメダルを供給するメダル供給設備に利用される。
【図面の簡単な説明】
【００１９】
【図１】実施例のメダル供給設備の説明図である。
【図２】実施例の遊技機の一部切欠斜視図である。
【図３】実施例のメダル貸し機の一部切欠斜視図である。
【図４】実施例のメダル補給装置の一部切欠斜視図である。
【図５】実施例のカバープレートの斜視図である。
【図６】実施例のカバープレートの取り付け状態を示す説明図である。
【図７】実施例のカバープレートの取り付け状態を示す説明図である。
【図８】実施例のメダルの搬送を示す説明図である。
【図９】実施例のメダルの補給を示す説明図である。
【図１０】実施例のメダルの補給を示す説明図である。
【図１１】実施例のカバープレートの突起の作用を示す説明図である。
【図１２】実施例の他の例のメダル補給装置の一部切欠斜視図である。
【図１３】従来のメダル補給装置の一部切欠斜視図である。
【図１４】従来のメダル補給装置の一部切欠斜視図である。
【図１５】従来のメダルの補給を示す説明図である。
【符号の説明】
【００２０】
１  メダル供給設備
２  遊技機
２ａ  メダル投入口
２ｂ  コントローラ
２ｃ  メダルホッパー
２ｄ  メダル量センサー
２ｅ  シュート
２ｆ  メダル受皿
２ｇ  メダル排送路
３  メダル貸し機
３ａ  貨幣投入口
３ｂ  コントローラ
３ｃ  メダルホッパー
３ｄ  メダル量センサー
３ｅ  シュート
３ｆ  メダル払出口
４  メダル搬送コンベヤ
４ａ  側壁
４ｂ  コンベヤベルト
４ｃ  開口部
４ｄ  切欠部
５  メダル回収コンベヤ
６  メダル洗浄研磨部
７  メダル転向部
８  メダル補給制御部
９  メダル補給装置
９ａ  ゲート
９ｂ  支持棒
９ｃ  駆動部
９ｄ  シュート
９ｅ  メダル送給路
９ｆ  カバープレート
９ｇ  逆止片
９ｈ  遮断片
９ｉ  カバー部
９ｊ  重り
９ｋ  突起
９ｍ  カバー
９ｎ  逃げ凹所
１０  ホールコンピュータ
１０ａ  接続部
２０  メダル搬送コンベヤ
２０ａ  側壁
２０ｂ  開口部
２１  ゲート装置
２２  シュート
２３  メダル送給路
２４  カバープレート
２４ａ  掛止片
２４ｂ  逆止片
ｍ  メダル
【図１】
2007111154.tif 000003
【図２】
2007111154.tif 000004
【図３】
2007111154.tif 000005
【図４】
2007111154.tif 000006
【図５】
2007111154.tif 000007
【図６】
2007111154.tif 000008
【図７】
2007111154.tif 000009
【図８】
2007111154.tif 000010
【図９】
2007111154.tif 000011
【図１０】
2007111154.tif 000012
【図１１】
2007111154.tif 000013
【図１２】
2007111154.tif 000014
【図１３】
2007111154.tif 000015
【図１４】
2007111154.tif 000016
【図１５】
2007111154.tif 000017